(57)【要約】  本発明は、外枠、及び外枠内に順に設けられた液晶パネル、光学フィルム、拡散板、ランプパネルを備え、前記液晶パネルと前記光学フィルムとの間に第1のモジュール空間が形成されている表示モジュールの放熱構造において、前記外枠に開設された給気口及び排気口を備え、前記給気口及び前記排気口は、前記第1のモジュール空間において第1の通風路が形成されており、前記給気口及び前記排気口にいずれもストレーナが設けられている表示モジュールの放熱構造に関する。本発明は、外枠に給気口及び排気口が開設され、さらに液晶パネルと拡散板との間のモジュール空間に通風路が形成され、通風により空気対流が形成されることにより、表示モジュールを放熱させる構造を採用し、迅速に放熱する役割を果たすことができ、かつ、通風路にストレーナが設けられているので、モジュール空間における清浄度を効果的に確保し、さらに、良好な表示効果を確保し、塵埃、顆粒等による影響を避ける。【選択図】図４
2017514156.tif 000002
【特許請求の範囲】
【請求項１】
外枠、及び前記外枠内に順に設けられた液晶パネル、光学フィルム、拡散板、ランプパネルを備え、前記液晶パネルと前記光学フィルムとの間に第1のモジュール空間が形成されている表示モジュールの放熱構造において、前記外枠に開設された給気口及び排気口を備え、前記給気口及び前記排気口は、前記第1のモジュール空間において第1の通風路が形成されており、前記給気口及び前記排気口にいずれもストレーナが設けられていることを特徴とする表示モジュールの放熱構造。
【請求項２】
前記給気口及び前記排気口は、前記外枠の対向する側部に設けられていることを特徴とする請求項1に記載の表示モジュールの放熱構造。
【請求項３】
前記拡散板と前記ランプパネルとの間に第2のモジュール空間が形成されており、前記外枠に開設された給気口及び排気口をさらに備え、前記給気口及び前記排気口は、前記第2のモジュール空間において第2の通風路が形成されており、前記給気口及び前記排気口にいずれもストレーナが設けられていることを特徴とする請求項1又は2に記載の表示モジュールの放熱構造。
【請求項４】
前記給気口及び前記排気口は、前記外枠の対向する側部に設けられていることを特徴とする請求項3に記載の表示モジュールの放熱構造。
【請求項５】
前記給気口及び前記給気口に設けられた第1の通風モジュールと、前記排気口及び前記排気口に設けられた第2の通風モジュールと、をさらに備えることを特徴とする請求項4に記載の表示モジュールの放熱構造。
【請求項６】
前記第1の通風モジュールは、一端が前記外枠に固定され取り付けられた第1のファンを含み、前記第1のファンの他端に前記ストレーナが設けられていることを特徴とする請求項5に記載の表示モジュールの放熱構造。
【請求項７】
前記第2の通風モジュールは、一端が前記外枠に固定され取り付けられた第2のファンを含み、前記第2のファンの他端に前記ストレーナが設けられていることを特徴とする請求項5に記載の表示モジュールの放熱構造。
【請求項８】
前記液晶パネルの前記第1のモジュール空間から離れた面に保護ガラスが貼設されていることを特徴とする請求項1に記載の表示モジュールの放熱構造。
【請求項９】
前記液晶パネル及び前記保護ガラスは、前記外枠の取付面に設けられており、前記保護ガラスの外面の周縁は、プラテンにより前記外枠に固定されていることを特徴とする請求項8に記載の表示モジュールの放熱構造。
【請求項１０】
前記ランプパネルの裏面に放熱板が貼設されていることを特徴とする請求項1に記載の表示モジュールの放熱構造。
【発明の詳細な説明】
【技術分野】
【０００１】
本発明は、スクリーン表示分野に関し、特に表示モジュールの放熱構造に関する。
【背景技術】
【０００２】
液晶ディスプレイにおいて、液晶パネルは、2種類の技術形式が存在し、業界ではそれぞれcell及びopen cellと定義されており、cellは、2枚のガラス基板間に液晶を充填して密閉した液晶モジュールを形成するものであり、外観が通常のシートガラスと違いなく、open cellは、外部の信号源等に接続するために、cellを元に各種のインタフェースを配置したものであるが、液晶表示モジュールにおけるバックライトモジュール等の素子を含まない。
【０００３】
液晶パネル自体は発光せず、バックライトモジュールにより表示機能を実現する必要があり、バックライトモジュールの主な構造は、発光源、導光板、光学フィルム、拡散シート、ゲルフレーム、及び裏板等の部分からなる。バックライトモジュールと液晶パネルとを取り付けることにより表示モジュールを形成し、表示モジュールに対する技術的考慮は、主に表示モジュールの軽量化、薄型化、低コスト、及び放熱性等の点にある。
【０００４】
出願人による特許公開番号が104020591Aであり、発明の名称が表示モジュール構造及びその取付方法である前の特許において、取付枠により複数の機能板を固定し、当該取付枠は、さらに複数の取付ステーにより囲まれ接続されてなるものであり、取付枠の内側面に形成された取付構造は、機能板を取付枠に固定するためのものである表示モジュール構造を提供した。図1及び図2に示されるように、表示モジュール構造は、複数の機能板30及び取付枠20を備え、取付枠20は、複数の取付ステー201により囲まれ接続されてなるものであり、取付枠20の内側面には、取付ステー201の内側面に形成された取付溝208、209及び取付面207を含む取付構造205が形成されている。取付ステー201に放熱構造2012が形成されている。機能板30は、ランプパネル302、液晶パネル304、拡散板306、及び光学フィルム308を含み、そのうちの液晶パネル304は、取付溝208に挿入され固定されており、光学フィルム308及び拡散板306は、取付溝209に挿入され固定されており、ランプパネル302は、取付面207に取り外し可能に取り付けられている。前記表示モジュール構造は、従来技術に比べて、従来の表示モジュールにおいて一体化された金属裏板、フロントフレーム及びゲルフレームを省略し、コストを効果的に節約し、また、当該表示モジュール構造の寸法が柔軟に調節でき、適合性が強い。
【０００５】
しかし、前記表示モジュール構造は、放熱機能が悪く、取付ステーに形成された放熱構造により熱伝導放熱を行うが、表示モジュールの寸法が大きい場合、ランプパネル上のランプ源により表示モジュールにおける熱量が高くなることが多く、従来の熱伝導放熱では、既に迅速な放熱機能を満たすことができず、表示モジュールは、熱量が高すぎることで損傷してしまう。また、従来の放熱技術は、ファンにより空気対流を形成して放熱するものも含むが、塵埃による表示効果への影響を避けるために、表示モジュール内に清浄な空間を保つ必要があるので、表示モジュールの放熱問題を取り扱う際に、空気対流による放熱方法はほとんど採用されていない。
【発明の概要】
【発明が解決しようとする課題】
【０００６】
本発明は、従来技術の欠点を克服し、従来の表示モジュール構造では熱伝導により放熱する時に放熱が悪く、空気対流により表示モジュールの内部の放熱を行うことができないという問題を解決する表示モジュールの放熱構造を提供することを目的とする。
【課題を解決するための手段】
【０００７】
前記目的を実現する技術方案は、以下のとおりである。
【０００８】
本発明は、外枠、及び外枠内に順に設けられた液晶パネル、光学フィルム、拡散板、ランプパネルを備え、前記液晶パネルと前記光学フィルムとの間に第1のモジュール空間が形成されている表示モジュールの放熱構造において、前記外枠に開設された給気口及び排気口を備え、前記給気口及び前記排気口は、前記第1のモジュール空間において第1の通風路が形成されており、前記給気口及び前記排気口にいずれもストレーナが設けられている表示モジュールの放熱構造を提供する。
【０００９】
本発明は、外枠に給気口及び排気口が開設され、さらに液晶パネルと拡散板との間のモジュール空間に通風路が形成され、通風により空気対流が形成され表示モジュールを放熱させる構造を採用し、迅速に放熱する役割を果たすことができ、かつ、通風路にストレーナが設けられているので、モジュール空間における清浄度を効果的に確保し、さらに、良好な表示効果を確保し、塵埃、顆粒等による影響を避ける。
【００１０】
本発明の表示モジュールの放熱構造の更なる改善は、前記給気口及び前記排気口が、前記外枠の対向する側部に設けられていることにある。
【００１１】
本発明の表示モジュールの放熱構造の更なる改善は、前記拡散板と前記ランプパネルとの間に第2のモジュール空間が形成されており、前記外枠に開設された給気口及び排気口をさらに備え、前記給気口及び前記排気口が、前記第2のモジュール空間において第2の通風路が形成されており、前記給気口及び前記排気口にいずれもストレーナが設けられていることにある。
【００１２】
本発明の表示モジュールの放熱構造の更なる改善は、前記給気口及び前記排気口が、前記外枠の対向する側部に設けられていることにある。
【００１３】
本発明の表示モジュールの放熱構造の更なる改善は、前記給気口及び前記給気口に設けられた第1の通風モジュールと、前記排気口及び前記排気口に設けられた第2の通風モジュールと、をさらに備えることにある。
【００１４】
本発明の表示モジュールの放熱構造の更なる改善は、前記第1の通風モジュールが、一端が前記外枠に固定され取り付けられた第1のファンを含み、前記第1のファンの他端に前記ストレーナが設けられていることにある。
【００１５】
本発明の表示モジュールの放熱構造の更なる改善は、前記第2の通風モジュールが、一端が前記外枠に固定され取り付けられた第2のファンを含み、前記第2のファンの他端に前記ストレーナが設けられていることにある。
【００１６】
本発明の表示モジュールの放熱構造の更なる改善は、前記液晶パネルの前記第1のモジュール空間から離れた面に保護ガラスが貼設されていることにある。
【００１７】
本発明の表示モジュールの放熱構造の更なる改善は、前記液晶パネル及び前記保護ガラスが、前記外枠の取付面に設けられており、前記保護ガラスの外面の周縁が、プラテンにより前記外枠に固定されていることにある。
【００１８】
本発明の表示モジュールの放熱構造の更なる改善は、前記ランプパネルの裏面に放熱板が貼設されていることにある。
【図面の簡単な説明】
【００１９】
【図１】従来技術における表示モジュールの構造模式図である。
【図２】図1における表示モジュールの断面図である。
【図３】本発明の表示モジュールの放熱構造の構造模式図である。
【図４】本発明の表示モジュールの放熱構造の断面図である。
【発明を実施するための形態】
【００２０】
以下、添付図面及び具体的な実施例を参照して本発明をさらに説明する。
【００２１】
本発明は、通風路を設けて空気対流を形成することにより表示モジュールを放熱させる方法を採用した表示モジュールの放熱構造を提供し、表示効果を確保するとともに、表示モジュールに対して迅速に放熱処理を行うことができ、従来の熱伝導放熱に比べて好ましい放熱効果を有する。本発明は、外枠に給気口及び排気口を開設することにより通風路を形成し、従来の、空冷式放熱を液晶表示モジュールに適用できない技術偏見を克服し、表示モジュールの内部の空気清浄度を確保する前提で、空冷式の空気対流により表示モジュールに対して放熱処理を行う。以下、添付図面を参照して本発明の表示モジュールの放熱構造を説明する。
【００２２】
図3及び図4に示されるように、表示モジュールは、外枠401、及び外枠401内に順に設けられた液晶パネル402、光学フィルム403、拡散板404、ランプパネル405を備え、液晶パネル402と光学フィルム403との間に第1のモジュール空間408が形成されており、拡散板404とランプパネル405との間に第2のモジュール空間409が形成されており、本発明の表示モジュールの放熱構造は、外枠401に開設された給気口511及び排気口512を備え、当該給気口511及び排気口512は、第1のモジュール空間408において第1の通風路が形成されており、当該給気口511及び排気口512にいずれもストレーナが設けられている。第1の通風路により第1のモジュール空間408において空気対流を形成することにより、第1のモジュール空間408に送風してそれを放熱させ、第1のモジュール空間408における空気清浄度を確保し、塵埃、顆粒等による光への影響を避けるために、第1の通風路を形成する給気口511及び排気口512に、外気における不純物（例えば、塵埃及び顆粒等）をろ過するストレーナを設け、表示効果を確保する。
【００２３】
本発明の表示モジュールの放熱構造は、外枠401に開設された給気口521及び排気口522をさらに備え、当該給気口521及び排気口522は、第2のモジュール空間409において第2の通風路が形成されており、当該第2の通風路を形成する給気口521及び排気口522には、いずれも外気における不純物、例えば、塵埃及び顆粒等をろ過するストレーナが設けられており、第2の通風路により、第2のモジュール空間409において空気対流を形成することにより、第2のモジュール空間409に送風してそれを放熱させる。
【００２４】
図4に示されるように、表示モジュールの外枠401の内側面に取付構造が設けられており、取付構造により液晶パネル402、光学フィルム403、拡散板404及びランプパネル405が取り付けられ固定されており、外枠401の頂部に、液晶パネル402を取り付けるための取付面が設けられており、中間部に、光学フィルム403及び拡散板404を取り付けるための取付溝が設けられており、底部に、ランプパネル405を取り付けるための取付面が設けられている。表示モジュールは、実際に用いられる際に、液晶パネル402を外部に直接に露出させることがなく、一般的に液晶パネル402の表面にガラスシートが設けられ、液晶パネル402の表示効果を確保するために、液晶パネル402の第1のモジュール空間408から離れた面に保護ガラス407が貼設され、当該保護ガラス407は、液晶パネル402とともに外枠401の取付面に取り付けられ、さらに、プラテン410により保護ガラス407が外枠401に取り付け固定されている。プラテン410は、L形構造であり、一端が保護ガラス407の外面の周縁に圧着され、他端が外枠401の外側面に貼り合わせられ固定されており、プラテン410の他端の、外枠401上の給気口511、排気口512、給気口521、及び排気口522に対応する箇所には、いずれも通風口が設けられている。光学フィルム403と拡散板404は、貼り合わせられるように設けられており、ともに外枠401上の取付溝に挿設されている。ランプパネル405の放熱効果を向上させるために、ランプパネル405の裏面に放熱板406が貼設されている。
【００２５】
表示モジュールの外枠401内において、液晶パネル402と光学フィルム403との間に第1のモジュール空間408が形成されており、拡散板404とランプパネル405との間に第2のモジュール空間409が形成されており、ランプパネル405上のランプ源から出射される光は、第2のモジュール空間409を通過して、拡散板404に照射され、拡散板404及び光学フィルム403を経過した後第1のモジュール空間408に照射され、さらに、第1のモジュール空間408を経過して液晶パネル402に照射され、画面の表示を実現する。光が第1のモジュール空間408を経過する際に、第1のモジュール空間408に不純物が存在すれば、光が拡散板404及び光学フィルム403を経過した後、不純物に影響されて反射又は散乱が発生しやすく、さらに表示効果に影響を与えてしまうので、表示モジュールを実装する際に、特に第1のモジュール空間408における空気清浄度を確保し、当該第1のモジュール空間408に不純物が存在しないことを確保する必要がある。
【００２６】
図3に示されるように、本発明の表示モジュールの放熱構造における第1の通風路は、外枠401に開設された給気口511及び排気口512を含み、好ましくは、当該給気口511及び排気口512は、第1のモジュール空間408の外枠401と対向する側部に開設され、給気口511及び排気口512により、第1のモジュール空間408において第1の通風路が形成され、これにより、第1のモジュール空間408に空気対流を発生させ放熱させる。本発明の表示モジュールの放熱構造における第2の通風路は、外枠401に開設された給気口521及び排気口522を含み、好ましくは、当該給気口521及び排気口522は、第2のモジュール空間409の外枠401と対向する側部に開設され、給気口521及び排気口522により、第2のモジュール空間409に第2の通風路が形成され、これにより、第2のモジュール空間409に空気対流を発生させ放熱させる。
【００２７】
本発明の1つの好ましい実施形態として、給気口511、排気口512、給気口521、及び排気口522にそれぞれストレーナが設けられている。
【００２８】
本発明の1つの好ましい実施形態として、表示モジュールの放熱構造は、給気口511及び給気口521に設けられた第1の通風モジュール53と、排気口512及び排気口522に設けられた第2の通風モジュール54と、をさらに備え、第1の通風モジュール53と第2の通風モジュール54の組合せにより、第1のモジュール空間408及び第2のモジュール空間409にそれぞれ空気対流が形成され、これにより、第1のモジュール空間408及び第2のモジュール空間409を放熱させる。
【００２９】
第1の通風モジュール53は、一端が外枠401に取り付けられ固定された第1のファン532を含み、当該第1のファン532の他端にストレーナ534が設けられている。本発明の別の好ましい実施形態として、当該第1の通風モジュール53は、第1の取付枠531をさらに含み、第1のファン532は、第1の取付枠531により外枠401に取り付けられており、第1の取付枠531に開口533が設けられており、開口533にストレーナ534が設けられている。第2の通風モジュール54は、一端が外枠501に取り付けられ固定された第2のファン542を含み、当該第2のファン542の他端にストレーナ544が設けられている。本発明の別の好ましい実施形態として、当該第2の通風モジュール53は、第2の取付枠541をさらに含み、第2のファン542は、第2の取付枠541により外枠401に取り付けられており、第2の取付枠541に開口543が設けられており、開口543にストレーナ544が設けられている。好ましくは、第1のファン532は、ストレーナ534により濾過された空気を表示モジュールに吹き込む送風ファンであり、第2のファン542は、表示モジュールにおける空気を吸い出す吸風ファンであり、送風ファンと吸風ファンの組合せにより空気対流を形成することにより、第1のモジュール空間408及び第2のモジュール空間409を放熱させるとともに、第1のモジュール空間408及び第2のモジュール空間409における空気清浄度を確保する。
【００３０】
本発明の表示モジュールの放熱構造の有益な効果は、以下のとおりである。
【００３１】
外枠に給気口及び排気口が開設され、さらに液晶パネルと拡散板との間のモジュール空間に通風路が形成され、通風により空気対流が形成され表示モジュールを放熱させる構造を採用し、迅速に放熱する役割を果たすことができ、また、通風路にストレーナが設けられているので、モジュール空間における清浄度を効果的に確保し、さらに、良好な表示効果を確保し、塵埃、顆粒等による影響を避ける。
【００３２】
以上、添付図面、実施例を参照して本発明を詳しく説明したが、当業者であれば、前記説明に基づき本発明に対して各種の変形例を加えることができる。したがって、実施例における各種の細部によって、本発明を限定すべきではない。本発明は、添付された特許請求の範囲により限定されている範囲を本発明の保護範囲とする。
【図１】
2017514156.tif 000003
【図２】
2017514156.tif 000004
【図３】
2017514156.tif 000005
【図４】
2017514156.tif 000006
【国際調査報告】
2017514156.tif 000007
2017514156.tif 000008
2017514156.tif 000009
2017514156.tif 000010
2017514156.tif 000011
2017514156.tif 000012